(57)【要約】      （修正有）【課題】紙、好ましくは複数枚の請求書や領収書などの伝票類、或いは資料を束ねるのに好適で、束ねた時の嵩を低くできるマグネットクリップを提供する。【解決手段】帯状体２の両端部２１１、２２１付近に、相互に磁気吸着する一対のマグネット３１、３２が設けられることで、伝票類や資料を束ねたり、磁気吸着可能な壁面に止めたりすることが可能なマグネットクリップ１において、帯状体２に不織布を用いる。不織布から成る帯状体２は、比較的丈夫で、特に折返しの部分２３が切れたりすることも無く、また伝票類を束ねても、適度に潰れ（重なり）、複数束重ねても帯状体２はあまり邪魔にはならず、嵩を低くすることができる。また、片手での抜き差しも可能になる。【選択図】図１
0003231684.tif 000002
【実用新案登録請求の範囲】
【請求項１】
帯状に形成された不織布の両端部付近に、相互に磁気吸着する一対のマグネットが設けられて成ることを特徴とするマグネットクリップ。
【請求項２】
前記マグネットが相互に磁気吸着することで前記不織布は略２つ折りとなり、その折れ線の近傍を除く少なくとも一部に、補強および／または意匠性を向上するための紙または織布が貼付けられていることを特徴とする請求項１記載のマグネットクリップ。
【請求項３】
前記紙または織布は、ペンによる書込み可能で、前記不織布を２つ折りした状態で、外側となる面に貼付けられることを特徴とする請求項２記載のマグネットクリップ。
【請求項４】
前記帯状に形成された不織布の前記両端部付近が折返され、その折返されて袋状となった部分に、前記マグネットが嵌込まれて構成されることを特徴とする請求項１〜３の何れか１項に記載のマグネットクリップ。
【請求項５】
前記一対のマグネットは、ネオジム磁石が、円錐台状に形成されて成ることを特徴とする請求項１〜４の何れか１項に記載のマグネットクリップ。
【請求項６】
前記請求項１〜５の何れか１項に記載のマグネットクリップに伝票差しを備えて構成される伝票類の管理装置であって、
前記一対のマグネットはリング状に形成されて、そのリングの孔に連通して、前記不織布にも貫通孔が形成され、
前記マグネットクリップはペーパークリップとして使用され、展開状態で一対のマグネットの内の一方の孔が前記伝票差しに遊挿された後、前記伝票類が積層され、一対のマグネットの内の他方の孔がさらに伝票差しに遊挿されて前記一対のマグネットが相互に磁気吸着した状態で前記伝票類が束ねられることを特徴とする伝票類の管理装置。
【考案の詳細な説明】
【技術分野】
【０００１】
本考案は、帯状体の両端部付近に、相互に磁気吸着する一対のマグネットが設けられることで、紙、好ましくは複数枚の請求書や領収書などの伝票類、或いは資料などを、速やかに、束ねたり、磁気吸着可能な壁面に止めたりすることが可能なマグネットクリップおよびそれを用いる伝票類の管理装置に関する。
【背景技術】
【０００２】
上記のようなマグネットクリップの典型的な従来技術は、特許文献１で示されている。その従来技術は、弾力性のあるベルトの両端部付近に、相互に磁気吸着する一対のマグネットが設けられて成る磁石式クリップである。そして、紙や鉛筆類を磁力で挟むことが可能で、挟んだ物がずれたりしないように、スチールキャビネットに吸着できるようにしたものである。
【０００３】
同様の他の従来技術は、特許文献２で示されている。その従来技術は、２つ折りの台紙の一方を刳り抜いて釦型のマグネットを面一に埋込み、他方には平板の磁性体シートを埋込むことで、挟持力がマグネットだけに集中しないようにしたマグネットクリップである。
【先行技術文献】
【特許文献】
【０００４】
【特許文献１】特開２００５−９６３８７号公報
【特許文献２】実用新案登録３１６５９６９号公報
【考案の概要】
【考案が解決しようとする課題】
【０００５】
したがって、特許文献１の従来技術では、弾力性のあるベルトであるので、それを延ばして、スチールキャビネットとの間に紙などを挟み込んで止めているような場合には問題は無いが、たとえば数枚の紙を挟んで束ねるだけの場合、ベルトが大きなループを描き、特にそのようにクリップ止めした束を複数組重ねる場合に、ベルトが邪魔になるという問題がある。一方、特許文献２の従来技術では、剛性を有する紙の台紙を２つに折曲げたものであり、磁性体シートで磁力は一点に集中しないものの、挟む物が厚くなると、台紙が斜めになり、充分な挟持力が発生しないとともに、束を重ねるのにも、浮上がった台紙が邪魔になるという問題がある。
【０００６】
本考案の目的は、帯状体の両端部付近に相互に磁気吸着する一対のマグネットが設けられて成るマグネットクリップにおいて、束を重ねても嵩を低くできるマグネットクリップおよびそれを用いる伝票類の管理装置を提供することである。
【課題を解決するための手段】
【０００７】
本考案のマグネットクリップは、帯状に形成された不織布の両端部付近に、相互に磁気吸着する一対のマグネットが設けられて成ることを特徴とする。
【０００８】
上記の構成によれば、帯状体の両端部付近に、相互に磁気吸着する一対のマグネットが設けられることで、紙、好ましくは複数枚の請求書や領収書などの伝票類、或いは資料を、束ねたり、磁気吸着可能な壁面に止めたりすることが可能なマグネットクリップにおいて、本考案では、前記帯状体に不織布を用いる。
【０００９】
したがって、不織布から成る帯の部分は、安価で、かつ比較的丈夫で、特に折返しの部分が切れたりすることも無く、また柔軟性を有し、皺になり難く、前記請求書や領収書などの伝票類を束ねても、適度に潰れ（重なり）、たとえば複数束重ねても該帯の部分はあまり邪魔にはならず、嵩を低くすることができる。また、特許文献１のような弾発性や、特許文献２のような剛性でもないので、クリップする物は、一対のマグネット間の磁力が及んで、外れなければ、帯状体の長さの範囲で任意の厚さに対応することができる。さらにまた、下に敷いたマグネットの上に前記請求書や領収書などの伝票類を載せて、帯をそれらの上に折返すだけで、上側のマグネットは下側のマグネットに吸引され、相互に磁気吸着する。これによって、位置合わせの必要も無く、たとえば片手で、容易にクリップを行うことができる。
【００１０】
また、本考案のマグネットクリップでは、前記マグネットが相互に磁気吸着することで前記不織布は略２つ折りとなり、その折れ線の近傍を除く少なくとも一部に、補強および／または意匠性を向上するための紙または織布が貼付けられていることを特徴とする。
【００１１】
上記の構成によれば、前記のような柔軟性で比較的自由に曲がり易い不織布で、２つ折りされる折れ線付近以外の少なくとも一部、たとえば２つ折の一方の片に、補強および／または意匠性を向上するための紙や織布を貼付ける。したがって、その補強した側を簡単に捲上げることができ、前記伝票類などを容易に挟込んだり、或いは捲上げずに直接差込んだりできるとともに、マグネットを壁面などに吸着させても、前記紙や織布の自己支持性によってクリップ部分が反り返ったりすることもなく、吸着性能を向上することができる。また、前記紙や織布に意匠を施しておくことで、意匠性を向上することができる。
【００１２】
さらにまた、本考案のマグネットクリップでは、前記紙または織布は、ペンによる書込み可能で、前記不織布を２つ折りした状態で、外側となる面に貼付けられることを特徴とする。
【００１３】
上記の構成によれば、不織布自体にペンによる書込みを行うことは比較的容易ではあるが、さらに該不織布に紙や織布を貼付けて補強および／または意匠性を向上するにあたって、２つ折りした状態で、外側となる面に貼付けておくことで、クリップした状態でも、ペンによる書込みにより適した、或いは意匠が施されたその紙や織布の部分を外部に露出させることができ、たとえばインデックス（見出し）などのペンによる書込みが行い易くなる。
【００１４】
好ましくは、前記マグネットが相互に磁気吸着することで前記不織布は略２つ折りとなり、その２つ折りした状態で外側となる面に、札差用の透明なポケットが形成されることを特徴とする。
【００１５】
上記の構成によれば、不織布の２つ折りした状態で一片の外側となる面に、透明なポケットを形成しておく。したがって、そのポケットに区分などのための札を差せるようになり、マグネットクリップの利便性をさらに向上することができる。
【００１６】
また好ましくは、前記マグネットが相互に磁気吸着することで前記不織布は略２つ折りとなり、その折れ線から前記マグネットの間に、前記２つ折りされた不織布を連通するフック孔が形成されていることを特徴とする。
【００１７】
上記の構成によれば、たとえば前記請求書や領収書などの伝票類を束ねたものを、磁石で壁面などにくっつけるだけでなく、前記フック孔に通すことで、その束を架設した棒や紐にぶら下げることができ、大量の書類などを少スペースに保管することができる。
【００１８】
さらにまた、本考案のマグネットクリップでは、前記帯状に形成された不織布の前記両端部付近が折返され、その折返されて袋状となった部分に、前記マグネットが嵌込まれて構成されることを特徴とする。
【００１９】
上記の構成によれば、該マグネットクリップを作成するにあたって、単層の不織布を帯状に伸ばし、その両端部付近にマグネットを接着などで固定し、さらにその両端部を折返して袋状とすることで、該袋状となった部分に前記マグネットを収容する。したがって、表裏２層の不織布を全長に亘り重ね合わせるよりも、該不織布を貼合せる部分は短く、したがって、ずれも生じ難く、容易に作成することができる。
【００２０】
また、本考案のマグネットクリップでは、前記一対のマグネットは、ネオジム磁石が、円錐台状に形成されて成ることを特徴とする。
【００２１】
上記の構成によれば、前記一対のマグネットをネオジム磁石で構成することで、強力な吸着力を得ることができ、挟込む前記請求書や領収書などの伝票類の枚数を多くすることができる。そして、その一対のマグネットを円錐台状に形成しておくことで、相互に磁気吸着して重なったマグネットの側面に段差ができることになる。したがって、この段差に爪などを差込むことで、前記の強力な吸着力のネオジム磁石を引剥がし易くなる。すなわち、前記請求書や領収書などの伝票類の束を解き易くなる。
【００２２】
さらにまた、本考案のマグネットクリップでは、前記一対のマグネットはリング状に形成されて、そのリングの孔に連通して、前記不織布にも貫通孔が形成されることを特徴とする。
【００２３】
上記の構成によれば、たとえば前記請求書や領収書などの伝票類を束ねる該マグネットクリップのマグネットの中心には、不織布を通して孔が開いているので、束ねたまま、伝票差しなどに通して吊下げることができる。こうして、前記請求書や領収書などの伝票類の保管が便利になる。
【００２４】
さらにまた、本考案の伝票類の管理装置は、前記のマグネットクリップに伝票差しを備えて構成される伝票類の管理装置であって、前記マグネットクリップはペーパークリップとして使用され、展開状態で一対のマグネットの内の一方の孔が前記伝票差しに遊挿された後、前記伝票類が積層され、一対のマグネットの内の他方の孔がさらに伝票差しに遊挿されて前記一対のマグネットが相互に磁気吸着した状態で前記伝票類が束ねられることを特徴とする。
【００２５】
上記の構成によれば、前記請求書や領収書などの伝票類を、伝票差しで刺して束ねるにあたって、前記のマグネットクリップをペーパークリップとして使用し、先にこのマグネットクリップの一方のマグネットの孔を前記伝票差しに通しておいた状態で、前記伝票類を刺してゆく。そして、最後の伝票類を刺した後、他方のマグネットの孔を伝票差しに通すことで、マグネットが相互に磁気吸着して前記伝票類を束ねることができ、伝票類を抜き取ってそのまま保管したり、紐を通し直して保管したりすることができる。こうして、伝票差しを用いた伝票類の管理を容易に行うことができる。
【考案の効果】
【００２６】
本考案のマグネットクリップおよびそれを用いる伝票類の管理装置は、以上のように、帯状体の両端部付近に、相互に磁気吸着する一対のマグネットが設けられることで、紙、好ましくは複数枚の請求書や領収書などの伝票類、或いは資料を、束ねたり、磁気吸着可能な壁面に止めたりすることが可能なマグネットクリップにおいて、前記帯状体に不織布を用いる。
【００２７】
それゆえ、不織布から成る帯の部分は、安価で、かつ比較的丈夫で、特に折返しの部分が切れたりすることも無く、また柔軟性を有し、皺になり難く、前記請求書や領収書などの伝票類を束ねても、適度に潰れ（重なり）、たとえば複数束重ねても該帯の部分はあまり邪魔にはならず、嵩を低くすることができる。また、このようなマグネットクリップを伝票差しに用い、伝票類を刺す前に一方のマグネットの孔を通しておき、全部の伝票類を刺した後、他方のマグネットの孔を通すことで、刺した伝票類を該マグネットクリップで束ねることができ、伝票類を抜き取ってそのまま保管したり、紐を通し直して保管したりすることができる。こうして、伝票差しを用いた伝票類の管理を容易に行うことができる。
【図面の簡単な説明】
【００２８】
【図１】本考案の実施の一形態に係るマグネットクリップを拡大して示す斜視図である。
【図２】図１のマグネットクリップの使用状態を示す斜視図である。
【図３】本考案の実施の他の形態に係るマグネットクリップを拡大して示す斜視図である。
【図４】図３のマグネットクリップの使用状態を示す斜視図である。
【図５】本考案の実施のさらに他の形態に係るマグネットクリップの作成方法を示す分解斜視図である。
【図６】本考案の実施の他の形態に係るマグネットクリップの作成方法を示す分解斜視図である。
【図７】図６のマグネットクリップを用いる伝票類の管理装置の使用状態を示す斜視図である。
【考案を実施するための形態】
【００２９】
（実施の形態１）
図１は本考案の実施の一形態に係るマグネットクリップ１を拡大して示す斜視図であり、図２はその使用状態を示す斜視図である。このマグネットクリップ１は、帯状体２の両端部２１１，２２１付近に、相互に磁気吸着する一対のマグネット３１，３２が設けられることで、紙、好ましくは複数枚の請求書や領収書などの伝票類、或いは資料（図２では領収書を例示し、以下、伝票類と言う）４を、束ねたり、磁気吸着可能な壁面に止めたりすることが可能なマグネットクリップである。注目すべきは、本考案のマグネットクリップ１では、前記帯状体２に不織布を用いることである。
【００３０】
したがって、不織布から成る帯状体２は、安価で、かつ比較的丈夫で、特に折返しの部分２３が切れたりすることも無く、また柔軟性を有し、皺になり難く、図２で示すように前記伝票類４を束ねても、適度に潰れる（重なる）。そのため、潰れ易いように、特に前記折返しの部分２３に癖付けしておく（折目を付けておく）ことで、或いは該折返しの部分２３を薄肉や脆弱に形成しておくことで、図２で示すような束を複数重ねても、該帯状体２はあまり邪魔にはならず、嵩を低くすることができる。また、不織布の柔軟性で、クリップする物（本実施形態では伝票類４）は、一対のマグネット３１，３２間の磁力が及んで、外れなければ、該帯状体２の長さの範囲で任意の厚さに対応することができる。さらにまた、下に敷いた帯状体２の一方の片２１およびマグネット３１の上に、前記伝票類４を載せて、前記折返しの部分２３から帯状体２の他方の片２２およびマグネット３２をそれらの上に折返すだけで、上側のマグネット３２は下側のマグネット３１に吸引され、相互に磁気吸着する。これによって、位置合わせの必要も無く、たとえば片手で、容易にクリップを行うことができる。
【００３１】
また注目すべきは、本実施形態のマグネットクリップ１では、前記マグネット３１，３２が相互に磁気吸着することで、比較的自由に曲がり易い不織布の帯状体２は、図１や図２で示す２つ折りとなるが、２つの片２１，２２において、その折れ線（２３）の近傍を除く少なくとも一部（図１および図２では他方の片２２の端部２２１側から２／３程度）に、補強および／または意匠性を向上するための当て紙５が貼付けられていることである。したがって、その補強した側（２２）を簡単に捲上げることができ、前記伝票類４を容易に挟込んだり、或いは捲上げずに直接抜き差しできるとともに、マグネット３１，３２を壁面などに吸着させても、前記当て紙５の自己支持性によってクリップ部分が反り返ったりすることもなく、吸着性能を向上することができる。また、前記紙や織布に意匠を施しておくことで、意匠性を向上することができる。
【００３２】
さらにまた注目すべきは、本実施形態のマグネットクリップでは、不織布から成る帯状体２自体にペンによる書込みを行うことは比較的容易ではあるが、さらに該帯状体２に当て紙５を貼付けて補強および／または意匠性を向上するにあたって、その紙はペンによる書込み可能で、２つ折りした状態で、外側となる面に貼付けられることである。したがって、不織布の繊維のように滲んだりすることなく、ペンによる書込みがより行い易くなる。また、前記の自己支持性を持たせるためには２つ折りの内側でもよいが、前記外側となる面は、図２のようにクリップした状態でも外部に露出させることができ、吊下げなどの際、該当て紙５に書込んだインデックス（見出し）や意匠を見せることができる。当て紙５に代えて、インクの乗りの良い織布などを用いてもよい。
【００３３】
（実施の形態２）
図３は本考案の実施の他の形態に係るマグネットクリップ１ａを拡大して示す斜視図であり、図４はその使用状態を示す斜視図である。このマグネットクリップ１ａは、上述のマグネットクリップ１に類似し、対応する部分には同一の参照符号を付して、その説明を省略する。注目すべきは、本実施形態のマグネットクリップ１ａでは、不織布から成る帯状体２ａの２つ折りした状態で他方の片２２ａの外側となる面に、透明なポケット６１が形成されることである。このポケット６１は、札差用で、図４で示すように、区分などのための札６２を差して、それを外部から確認できるようになっている。こうして、マグネットクリップ１ａの利便性をさらに向上することができる。
【００３４】
また注目すべきは、本実施形態のマグネットクリップ１ａでは、マグネット３１，３２が相互に磁気吸着することで、不織布から成る帯状体２ａは２つ折りになるが、折れ線（２３）からマグネット３１，３２の間に、前記２つ折りされた片２１ａ，２２ａを連通するフック孔７が形成されていることである。該フック孔７は、ハトメなどで構成される。したがって、図４のように、伝票類４を束ねたものを、磁石３１，３２で壁面などにくっつけるだけでなく、前記フック孔７に通すことで、その束を、架設した棒や紐にぶら下げることができ、大量の伝票類４を少スペースに保管することができる。
【００３５】
（実施の形態３）
図５は、本考案の実施のさらに他の形態に係るマグネットクリップ１ｂの作成方法を示す分解斜視図である。このマグネットクリップ１ｂは、前述のマグネットクリップ１に類似している。注目すべきは、本実施形態のマグネットクリップ１ｂでは、不織布から成る帯状体２ｂの各片２１ｂ，２２ｂの端部２１１，２２１付近が折返され、その折返されて袋状となった部分２１２，２２２に、マグネット３１ｂ，３２ｂが嵌込まれて作成されることである。詳しくは、単層の不織布を帯状に伸ばし、その両端部２１１，２２１付近にマグネット３１ｂ，３２ｂを接着などで固定し、さらにその各片２１ｂ，２２ｂの端部２１１，２２１を折返して基端側の部分２１３，２２３に貼付けて袋状とすることで、該袋状となった部分２１２，２２２にマグネット３１ｂ，３２ｂを収容する。マグネット３１ｂ，３２ｂは、先に基端側の部分２１３，２２３に貼付けられた後、端部２１１，２２１が折返して貼付けられてもよい。このように構成することで、表裏２層の不織布を全長に亘り重ね合わせるよりも、不織布を貼合せる部分は短く、したがって、ずれも生じ難く、容易に作成することができる。
【００３６】
（実施の形態４）
図６は、本考案の実施の他の形態に係るマグネットクリップ１ｃの作成方法を示す分解斜視図である。このマグネットクリップ１ｂも、前述のマグネットクリップ１に類似している。注目すべきは、本実施形態のマグネットクリップ１ｃでは、一対のマグネット３１ｃ，３２ｃはリング状に形成されて、そのリングの孔３１ｄ，３２ｄに連通して、不織布から成る帯状体２ｃの各片２１ｃ，２２ｃの端部２１１，２２１にも、貫通孔２１４，２２４が形成されることである。貫通孔２１４，２２４は、帯状体２ｃに、予め形成されていてもよく、またはマグネット３１ｃ，３２ｃが貼付けられた後、穿設されてもよい。
【００３７】
このように構成することで、伝票類４を束ねる該マグネットクリップ１ｃのマグネット３１ｃ，３２ｃの中心には、不織布である帯状体２ｃを通して孔２１４，２２４；３１ｄ，３２ｄが開いているので、束ねたまま、後述の図７の伝票差し８などに通して吊下げることができる。こうして、伝票類４の保管が便利になる。
【００３８】
図７は、図６で示すマグネットクリップ１ｃを用いる伝票類の管理装置の使用状態を示す斜視図である。この管理装置は、前記のマグネットクリップ１ｃに伝票差し８を備えて構成される。伝票差し８は、基盤８１に、伝票類４を刺して止める尖鋭なピン８２が立設されて構成される。この管理装置は、伝票類４を、伝票差し８で刺して束ねるにあたって、マグネットクリップ１ｃをペーパークリップとして使用する。そして、先に図７で示すマグネットクリップ１ｃの展開状態で、一方のマグネット３１ｃの孔３１ｄを前記伝票差し８のピン８２に通しておいた状態で、伝票類４を刺してゆき、最後の伝票類を刺した後、他方のマグネット３２ｃの孔３２ｄをピン８２に通すことで、マグネット３１ｃ，３２ｃが相互に磁気吸着して前記伝票類４を束ねることができる。その後、マグネットクリップ１ｃで束ねたまま伝票類４を抜き取ってそのまま保管したり、紐を通し直して保管したりすることができる。こうして、伝票差し８を用いた伝票類の管理を容易に行うことができる。
【符号の説明】
【００３９】
１，１ａ，１ｂ，１ｃ    マグネットクリップ
２，２ａ，２ｂ，２ｃ    帯状体
２１，２１ａ，２１ｂ，２１ｃ；２２，２２ａ，２２ｂ，２２ｃ    片
２１１，２２１    端部
２１２，２２２    袋状となった部分
２１３，２２３    基端側の部分
２１４，２２４    貫通孔
２３    折返しの部分
３１，３１ｂ，３１ｃ；３２，３２ｂ，３２ｃ    マグネット
３１ｄ，３２ｄ    孔
４    領収書
５    当て紙
６１    ポケット
６２    札
８    伝票差し
８１    基盤
８２    ピン
【図１】
0003231684.tif 000003
【図２】
0003231684.tif 000004
【図３】
0003231684.tif 000005
【図４】
0003231684.tif 000006
【図５】
0003231684.tif 000007
【図６】
0003231684.tif 000008
【図７】
0003231684.tif 000009